(57)【要約】【課題】身近で携行の機会の多い傘をさらに有効に使用できる用途を開発する。【解決手段】（１）傘の構造を、中棒を下ろくろの直下で切り離し可能な構造にする。必要時には石突きを取り外し、傘を開いた状態で中棒を下ろくろの直下で切り離すと共に、切り離した中棒の上端部分を上ろくろに位置する中棒先端部分に接続し、露先で接地させることによりスタンドとしても使用できる傘とした。（２）上ろくろ中を中棒がスライドし突き出せる構造にする。必要時中棒を上ろくろ中をスライドさせ、手元の下部が露先の軌跡面または軌跡面より上となるまで突き出させ固定することによりスタンドとして使用できるようにした。（１）、（２）の傘をスタンド状に開いた状態で上端に自在連結部を介して螺子が位置するように構成することによってカメラ、携帯電話、標識、表示板などのスタンド傘として利用することができる。【選択図】図１
2007098069.tif 000002
【特許請求の範囲】
【請求項１】
洋傘であって、該洋傘を開いた状態において中棒を下ろくろ直下で上下に切り離し可能な構造とし、必要時中棒を切り離すとともに、切り離した中棒の下側部分の上端を中棒の上側部分の上端に繋ぎ合わせ、露先部分で接地させることによりスタンド状に設置可能としたスタンド傘。
【請求項２】
中棒の下端に自在連結具を介して先端に螺子を備えた手元が接続されており、必要時中棒を切り離し、中棒の下側部分の上端を中棒の上側部分の上端に繋ぎ合わせた状態においては、該螺子が最上端に位置するようにした請求項１に記載のスタンド傘。
【請求項３】
洋傘であって、必要時に該洋傘を開いた状態において、中棒を下ろくろと上ろくろをスライドさせて、中棒の上部を上ろくろの上に突き出すととともに、手元の下端部が露先の軌跡が描く平面もしくは平面よりも上側に配置させ、露先部分で接地させることによりスタンド状に設置可能としたスタンド傘。
【請求項４】
中棒が多重管で構成され、必要に応じ引き伸ばし可能とした請求項３に記載のスタンド傘。
【請求項５】
中棒の上端にカメラ、鏡、標示等を固定するための螺子を備えた自在連結具が設けられた請求項３または請求項４に記載のスタンド傘。
【請求項６】
中棒の外周上の一部または全部に凹みを設け、上ろくろに設けられた突出物と食み合わせることによりスタンド状に固定可能とした請求項３または請求項４に記載のスタンド傘。
【発明の詳細な説明】
【技術分野】
【０００１】  本発明はカメラ、鏡、標識等のスタンドとして使用できる傘に関するものである。
【背景技術】
【０００２】  従来から一般に市販されている傘は、雨露を防ぐか、日照を遮る日傘として用いられるものである。
年々傘を軽くする、小さく折りたたむことができる、紫外線の透過を防ぐ、水濡れ性を少なくする、軽くワンタッチで開くことができるなどの改良が重ねられている。
しかし、傘は頻繁に携行されるにもかかわらず、その基本的な用途は雨露を防ぐ、日照を遮ること以外にはなく、せいぜいステッキ代わりに用いられる程度であり、日常携行の機会の多い物であるにもかかわらずその用途は限られた物であった。
【発明が解決しようとする課題】
【０００３】  本発明は、身近で携行の機会の多い傘をさらに有効に使用できる用途を開発しようとするものである。
【課題を解決するための手段】
【０００４】  本発明者は、上記傘の利用方法を鋭意検討した結果、傘の構造を改良することによって通常の傘として使用できるばかりでなくカメラ、鏡、標識等のスタンドとしても使用できることを見出し本発明に到達した。
【０００５】  すなわち第１の発明は、洋傘であって、該洋傘を開いた状態において中棒を下ろくろ直下で上下に切り離し可能な構造とし、必要時中棒を切り離すとともに、切り離した中棒の下側部分の上端を中棒の上側部分の上端に繋ぎ合わせ、露先部分で接地させることによりスタンド状に設置可能としたスタンド傘である。
【０００６】  また第２の発明は、中棒の下端に自在連結具を介して先端に螺子を備えた手元が接続されており、必要時中棒を切り離し、中棒の下側部分の上端を中棒の上側部分の上端に繋ぎ合わせた状態においては、該螺子が最上端に位置するようにした第１の発明に記載のスタンド傘である。
【０００７】  第３の発明は、洋傘であって、必要時に該洋傘を開いた状態において、中棒を下ろくろと上ろくろをスライドさせて、中棒の上部を上ろくろの上に突き出すととともに、手元の下端部が露先の軌跡が描く平面もしくは平面よりも上側に配置させ、露先部分で接地させることによりスタンド状に設置可能としたスタンド傘である。
【０００８】  第４の発明は、中棒が多重管で構成され、必要に応じ引き伸ばし可能とした第３の発明に記載のスタンド傘である。
【０００９】  第５の発明は、中棒の上端にカメラ、鏡、標示等を固定するための螺子を備えた自在連結具が設けられた第３の発明または第４の発明に記載のスタンド傘である。
【００１０】  第６の発明は、中棒の外周上の一部または全部に凹みを設け、上ろくろに設けられた突出物と食み合わせることによりスタンド状に固定可能とした第３の発明または第４の発明に記載のスタンド傘である。
【００１１】  上記第１の発明を図１〜図２に基づいて説明する。
図２は本来の目的である傘として用いた状態を示すものである。図１には本発明のスタンドとして使用した例を示す。
図２において傘の構造を、中棒１を下ろくろ２の直下１５で上下に切り離し可能な構造にする。スタンドとして使用する際には石突き１０を取り外し、中棒１を下ろくろ２の直下１５で切り離すと共に、切り離した中棒の上端部分を上側中棒の先端部分１６に接続し、図１に示すように露先９で接地させることによりスタンドとして使用可能としたスタンド傘である。
【００１２】  第２の発明は、図２において手元１２の下端に螺子１３を備えた自在連結具１４が接続されており、図１のスタンド傘として使用の際には、螺子１３が最上端に位置するように接続可能にしたスタンド傘であり、この螺子にカメラ、携帯電話、鏡、標識などを取り付けることができるようにしたものである。
【００１３】  次に第３の発明を図３及び図６で説明する。図３は本来の傘として用いた状態を示す。また図６は本発明のスタンドとして用いた状態を示す。
図３において石突き１０を取りはずし、中棒１を下ろくろ２、上ろくろ３をスライドさせて中棒の上部を上ろくろ３の上部に突き出させるとともに、手元１２の下部が露先９の軌跡を含む平面よりも上になるように設定することにより、図６のように露先で接地させスタンドとして用いることができるスタンド傘である。
【００１４】  第４の発明を図７及び図８により説明する。第３の発明において、図７に示すように中棒１を多重管で構成し、スタンドとして使用する際には図８のように中棒１から中心棒２１を引き出すことによりスタンドとしての高さを自由に調節可能としたスタンド傘である。
【００１５】  第５の発明は第３、第４の発明において中棒の上端部１６に首振り自在な連結具１４を介して螺子１３設けることによりカメラ、鏡、標識などを取り付けることを可能にしたスタンド傘である。
【００１６】  第６の発明は、中棒１を上ろくろ３中をスライドさせて図６、または図８の状態で固定するために、中棒１の外周上の一部または全部に凹み１７を設けるとともに、上ろくろ３にリングストッパー１９を設け中棒の凹み１７に食み合わせることにより、固定可能としたものである。
【発明の効果】
【００１７】  本発明により、雨露をしのぐための傘、日照を避けるための傘として用いることができるばかりでなく、外出または旅行などの携行中に傘をカメラの三脚代わりに用いることができ、従来の重い三脚を携行することなしに手軽に写真を撮ることができる。特に最近の軽くて高性能のカメラ、あるいは携帯電話による写真撮影には好適に用いることができる。また、高さを自由に設定できることから、屋外、室内ともに簡便に用いることができる。
さらに本発明の傘を、催しごとなどの案内標識のスタンドとして利用することができる。これにより従来のように杭を建たり、下部にコンクリートや砂袋などの重い物を取り付けたスタンドを用いることなしに手軽に設定することができる。
このほか、一時的な交通標識として鏡や標示板の設定、危険な場所の表示などのスタンドとしても用いることができる。
【発明を実施するための最良の形態】
【００１８】  第１の発明の実施の形態を図１及び図２により詳細に説明する。
第１の発明は図２に示すように中棒１、中棒１にスライドする下ろくろ２、中棒１に設けられた上部ハジキ４、下部ハジキ５、上ろくろ３、上部を上ろくろ３に支持された親骨６、親骨に設けたタボ８と下ろくろ２を連結する受骨７、親骨の先端部分である露先９、親骨に張られた生地１１、中棒下部の手元１２、上ろくろ３に取り付けた石突き１０、中棒切り離し部１５から構成される。【００１９】  図１は第１の発明をスタンド傘として用いた例図である。図２において石突き１０を取りはずし、中棒１を切り離し部１５ではずし、切り離した中棒下部の手元部１２を上にして、中棒１の上端部１６に接続する。
このようにすることによって、傘をスタンドとして使用可能になる。
なお、中棒１を下ろくろ２の直下１５で切り離し、中棒１の上端部１６に接続する方法は、両者を強固に固定できる方法であればいかなる方法でも良く、ねじ込み方式、バヨネット方式、ハジキ方式、あるいはクリックストップによるはめ込み方式などとすることができる。【００２０】  第２の発明は、図２において手元１２の下端に自在連結部１４を介して螺子１３を設けるものである。これにより図１のように傘をスタンドとして用いる際に、最上端になった螺子１３に小型カメラや携帯電話などをセットすることができる。またその角度は自在連結部１４で自由に変えることができる。
ここで螺子１３を図２では雄ネジで示したが、雄ネジに替えて雌ネジとすることもでき、あるいはクリックストップのはめ込み形式とすることもでき、カメラ、携帯電話、表示板、標識などを固定することができるものであればいかなる形式のものであってもよく、雄ネジに限定されるものではない。【００２１】  次に第３の発明について説明する。
図３は傘として使用する場合の状態を示す。上ろくろ３は中棒１がスライドし、上ろくろ上部に突出せるように作られている。
中棒１に上ろくろ３を固定するため、中棒の上端部分に凹み１８、及び上ハジキ４と下ハジキ５の中間部分に凹み１７が設けられており、最下部に曲がり手元２３を具備する。【００２２】  上ろくろ３の例を図４に示した。またそのＡ−Ａ’断面を図５に示した。上ろくろ３には溝２０が設けられており、その溝中に中棒１の凹み１７、１８と食み合わせ固定するためのリングストッパー１９がはめこまれている。傘として使用している状態では、中棒１上端部の凹み１８にリングストッパーが食み合わされた状態で中棒１と上ろくろ３とが固定されている。中棒１の上部に自在連結部１４が設けられており、その先端にカメラなどを取り付ける螺子１３、これらを覆う石突１０からなる。【００２３】  図３において、石突き１０を取り外し、上ハジキ４を押し込み、さらに上ろくろ３のリングストッパー１９を緩めながら中棒１を上ろくろ３の上部に突き出るように押し込むと、中棒１の凹み１７が上ろくろ３のリングストッパー１９と食め合わされることにより固定され、図６に示すようにスタンド傘として使用できるようになる。
なお、リングストッパー１９に替えてピン状突起物、ねじ込みボルト状物も使用可能であり、中棒１の凹み１７、１８と部分的にでも食み合わされることにより、傘として使用中、及びスタンドとして使用中に中棒１が上ろくろ３と固定できるものであれば特に限定されるものではない。【００２４】  次に第４の発明、すなわち中棒を多重構造としたスタンド傘について図７から図９により説明する。
図７は中棒を二重管で構成したスタンド傘を通常の傘として使用している状態を示す。中棒１、その中に中心棒２１が収納され、中心棒２１の下部は押し上げスプリング２２で常時上に押し上げられている。中心棒２１の上部に自在連結部１４、その先端にカメラなどを取り付ける螺子１３、これらを覆う石突１０が設けられている。【００２５】  上ろくろ３は中棒１をスライドし、上ろくろ上部に突出せるように作られている。中棒１の下ろくろ２の直下に上ハジキ４、中棒１の上端部分及び上ハジキ４と下ハジキ５の中間部分に上ろくろ３を固定するための凹み１７、１８がそれぞれ設けられており、最下部に曲がり手元２３を具備している。
上ろくろ３は図５及び図６と同様のものが用いられる。
図７において、石突き１０を取り外し、上ハジキ４を押し込み、さらに上ろくろ３のリングストッパー１９を緩めながら中棒１を上ろくろ３の上部に突き出るように押し込むと、中棒１の凹み１７が上ろくろ３のリングストッパー１９と食み合わされることにより固定され、スタンド状に設置可能になる。次に、中棒１内に収納された中心棒２１を中棒上端部分１６から引き上げる。この引き上げ長さは後に述べる下ハジキ５によって自由に変えることができる。
以上の操作により図８に示すように、露先９を地面または床などに据えてスタンドとして使用できる。【００２６】  図９は下ろくろ２をロックする上ハジキ４の動作状態を図示したもので、図９（ａ）は上ハジキ４が中心棒２１と中棒１のハジキ穴２４を通して外側に突き出した状態であり、この状態で傘を開くと下ろくろ２がロック可能となる。
（ｂ）は上ハジキ４が中棒１の上ハジキ上部凹部２５にはまり下ろくろ２はロックされない。
（ｃ）は上ハジキ４が中棒１の内側に入り、この状態では中心棒２１は中棒１の内側をスライドして、上下に移動できる。【００２７】  図７に示す本来の傘として用いる場合、下ろくろ２を手元１２方向から押し上げると、上ハジキ４は図９の（ａ）から（ｂ）の状態に変換し、先に述べた図７の中棒１下部のスプリング２２で押し上げられ、下ろくろ２が通過してもその状態を保つ。したがって下ろくろ２はロックされず下がってしまう。
これを解除するには図７の石突き１０をかぶせて中心棒２１がスプリングで押し上げるのを阻止すれば、（ａ）の状態に戻り下ろくろ２はロックされ、図７の状態を保つ。【００２８】  図１０は下ろくろ２をロックする下ハジキ５の動作状態を図示したもので、図１０（ａ）は下ハジキ５が中心棒２１と中棒１のハジキ穴２４を通して外側に突き出した状態であり、この状態で傘をたたむと下ろくろ２がロック可能となる。
この状態（ａ）は図９の（ａ）の状態と同期するものとする。
（ｂ）は下ハジキ５が中棒１のハジキ穴２４に位置した場合であり、この場合下ろくろ２はロックされない。
（ｃ）は下ハジキ５が中棒１の内側に入り、この状態では中心棒２１は中棒１との間に下ハジキ５と中棒１の内側との抵抗に逆らってスライドするために適度な摩擦が生じ、中心棒２１は任意のところで止めることが可能となる。【００２９】  さらに傘を閉じた状態から中心棒を引き上げる場合、図９（ａ）の状態になっているのでそのままでは引き上げられない。そこで中心棒２１をいったん下に押し下げて（ａ）の状態から（ｃ）にして、さらに中棒１のハジキ穴２４をよけて上に戻す（スプリング２２であがる）と中心棒２１を引き上げることができる。
傘の生地１１を通して上ハジキ４を押すことも可能であるが、生地を痛めたり探したりすることが避けられ、生地１１上部から操作できる。【００３０】  図７では中棒を二重管の例で示したが、そのほかロッドアンテナ同様に三重管、あるいは四重管とすることもできる。しかし構造が比較的簡単なこと、傘としての強度を保持しやすいことから二重管が好ましい。【００３１】  また、第１の発明において、中棒１の切り離し部１５から手元１２のあいだを中心棒２１を内管とする二重管構造とし、スタンド傘として使用の際、中棒１と中心棒２１のどちらかをネジまたはストッパーなどで必要に応じてスライドさせて、、その高さを任意に変える構成とすることができる。例えば図１において、中棒１の上端部分１６に接続する際は外管である中棒１で接続した後、中心棒２１を引き出して任意の高さに伸張する構成とすることもできる。【００３２】  第５の発明は、第３の発明において中棒１の上端に自在連結具１４を介して螺子１３を設けるものであり、また第４の発明において中心棒２１の上端部分に自在連結具１４を介して螺子１３を設けるものである。このようにすることによって傘をスタンドとして設置した際カメラ、標識、表示板などを取り付けることができる。
第５の発明においても、螺子１３は第２の発明における螺子と同様に、オスネジに軽えて雌ネジとすることもでき、あるいはクリックストップのはめ込み形式とすることもでき、カメラ、携帯電話、表示板、標識などを固定することができるものであればいかなる形式のものであってもよく、雄ネジに限定されるものではない。【００３３】  第６の発明は、第３の発明、第４の発明で説明したように、中棒１を上ろくろ３で固定するために中棒１の外周上の一部または全部に凹み１７、１８を設け、上ろくろ３に設けられた突出物（図４においてはリングストッパー１９）と食み合わせ固定可能としたものである。
中棒１の凹み１７、１８と上ろくろ３の突出物の構成は、両者を簡便にしかも確実に固定しうる物であれば特に限定されず、例えば、凹みとして中棒１の外周に一周した凹み、中棒１の外周上の対称位置に二つの凹み、あるいは１個の穴状の凹みとすることもできる。また突出物は押し開き可能なリング状ばね、ピン状物、ねじ込みボルト状物とすることもできる。【００３４】  このほかワンタッチ傘に対しても上記の発明の総てを適用することができる。例えば第１の発明をワンタッチ傘に適用するには全く支障なしに行うことができる。
ワンタッチ傘においてはこれまでの図面における上ハジキ４が不要になる。また、中棒を二重管構造にする際は下ハジキ５の直上から中心棒２１を設けることにすれば下ハジキ５の構造上の支障を避けることができる。
その際、中心棒２１の止め位置は引き上げた状態で中棒１と中心棒２１をバヨネット形式のはめ合わせにするなどの固定方式とすることによって中棒１と中心棒２１を固定させることができる。【００３５】  本発明の傘をスタンドとして利用する場合、台座が比較的大きく、一般的に８本の親骨に生地を張った中央の中棒１にカメラ、その他を固定するので安定性もよい。また曲がり手元に水筒、手提げなどを置くことによりさらに安定性を高めることができる。
【図面の簡単な説明】
【００３６】
【図１】  第一の発明の傘をスタンドとして用いた状態を示す図である。
【図２】  第一の発明の傘を通常の傘として用いた状態を示す図である。
【図３】  第二の発明の傘を通常の傘として用いた状態を示す図である。
【図４】  第二の発明における上ろくろの断面図を示す図である。
【図５】  図４におけるＡ−Ａ’断面を示す図である。
【図６】  第二の発明の傘をスタンドとして用いた状態を示す図である。
【図７】  第三の発明の傘を通常の傘として用いた状態を示す図である。
【図８】  第三の発明の傘をスタンドとして用いた状態を示す図である。
【図９】  第三の発明における中棒、中心棒、上ハジキの状態を示す図である。
【図１０】  第三の発明における中棒、中心棒、下ハジキの状態を示す図である。
【符号の説明】
【００３７】  １  中棒
２  下ろくろ
３  上ろくろ
４  上ハジキ
５  下ハジキ
６  親骨
７  受け骨
８  ダボ
９  露先
１０  石突き
１１  生地
１２  手元
１３  螺子
１４  自在連結部
１５  中棒切り離し部
１６  中棒上端部
１７  中棒下凹み部
１８  中棒上凹み部
１９  リングストッパー
２０  上ろくろ溝
２１  中心棒
２２  押し上げスプリング
２３  曲がり手元
２４  ハジキ穴
２５  上ハジキ上部凹部
【図１】
2007098069.tif 000003
【図２】
2007098069.tif 000004
【図３】
2007098069.tif 000005
【図４】
2007098069.tif 000006
【図５】
2007098069.tif 000007
【図６】
2007098069.tif 000008
【図７】
2007098069.tif 000009
【図８】
2007098069.tif 000010
【図９】
2007098069.tif 000011
【図１０】
2007098069.tif 000012